(57)【要約】【課題】光の照射が抑制される周辺領域を小さくすることが可能な照明装置及び表示装置を提供する。【解決手段】照明装置は、第１側面と、第２側面と、下面と、内側面と、下面と反対側の発光面と、を少なくとも有する１つの透光性部材で構成され、発光面から下面側にみて内側面の内側で囲まれた領域ができるように、第１側面から第２側面に向けて透光性部材が環状に旋回し、第２側面側の透光性部材が第１側面側の透光性部材の一部に重畳する導光板と、透光性部材に覆われ、かつ第１側面と対向する位置に配置された、少なくとも１つ以上の光源と、を備える。【選択図】図３
2019096562.tif 000002
【特許請求の範囲】
【請求項１】
第１側面と、第２側面と、下面と、内側面と、前記下面と反対側の発光面と、を少なくとも有する１つの透光性部材で構成され、前記発光面から下面側にみて前記内側面の内側で囲まれた領域ができるように、前記第１側面から前記第２側面に向けて前記透光性部材が環状に旋回し、前記第２側面側の前記透光性部材が前記第１側面側の前記透光性部材の一部に重畳する導光板と、
前記透光性部材に覆われ、かつ前記第１側面と対向する位置に配置された、少なくとも１つ以上の光源と、
を備える照明装置。
【請求項２】
前記導光板は、前記第１側面から前記第２側面に近づくにしたがって、前記透光性部材の厚さが薄くなる請求項１に記載の照明装置。
【請求項３】
前記第２側面には、前記第２側面から前記導光板の外部へ出射する光を吸収する光吸収層、又は、光を反射する反射層が設けられている請求項１又は２に記載の照明装置。
【請求項４】
前記導光板の外側面及び前記下面には、光を反射する反射層が設けられている請求項１から３のいずれか一項に記載の照明装置。
【請求項５】
前記導光板は、外周が円形である請求項１から４のいずれか一項に記載の照明装置。
【請求項６】
前記導光板は、外周が矩形の形状であり、
前記第１側面が含まれる平面は、前記外周と９０度未満の角度で交わる請求項１から４のいずれか一項に記載の照明装置。
【請求項７】
前記第１側面が含まれる平面は、前記第２側面と前記内側面との境界から離れている請求項１から６のいずれか一項に記載の照明装置。
【請求項８】
前記第１側面は、凹みのある弧の形状である請求項１から５のいずれか一項に記載の照明装置。
【請求項９】
前記光源は、前記導光板の前記内側面と前記第１側面との境界から離れて配置される請求項１から請求項８のいずれか一項に記載の照明装置。
【請求項１０】
前記光源は、前記第１側面と対向して複数配置され、
複数の前記光源は、前記第１側面と前記内側面との境界から離れるにしたがって間隔が小さくなるように並んで配置されている請求項１から９のいずれか一項に記載の照明装置。
【請求項１１】
他の領域よりも光を拡散可能な強拡散領域を有する拡散板を備え、
前記拡散板は、前記強拡散領域が前記領域を覆うように配置されている請求項１から１０のいずれか一項に記載の照明装置。
【請求項１２】
請求項１から１１のいずれか一項に記載の照明装置を備える表示装置。
【発明の詳細な説明】
【技術分野】
【０００１】
本発明は、照明装置及び表示装置に関する。
【背景技術】
【０００２】
導光板と、導光板の側面から導光板の内部へ光を照射する光源と、を備えるエッジライト型の照明装置が知られている（例えば、特許文献１参照）。エッジライト型の照明装置は、例えば、光源からの光を散乱させる散乱部が導光板の下面に形成される。散乱部は、導光板の上面から光が透過するように、光を散乱させる。
【先行技術文献】
【特許文献】
【０００３】
【特許文献１】特開２００９−１９３８９２号公報
【発明の概要】
【発明が解決しようとする課題】
【０００４】
表示装置では、表示領域の外側の周辺領域を小さくすることが要求されている。しかし、エッジライト型の照明装置では、導光板の周辺に光源が配置されており、光源が設けられた領域で上面に光を照射することが困難である。このように、光源による制約が大きいため、光の照射が抑制される周辺領域を小さくすることが困難となる可能性がある。
【０００５】
本発明の目的は、光の照射が抑制される周辺領域を小さくすることが可能な照明装置及び表示装置を提供することにある。
【課題を解決するための手段】
【０００６】
本発明の一態様の照明装置は、第１側面と、第２側面と、下面と、内側面と、前記下面と反対側の発光面と、を少なくとも有する１つの透光性部材で構成され、前記発光面から下面側にみて前記内側面の内側で囲まれた領域ができるように、前記第１側面から前記第２側面に向けて前記透光性部材が環状に旋回し、前記第２側面側の前記透光性部材が前記第１側面側の前記透光性部材の一部に重畳する導光板と、前記透光性部材に覆われ、かつ前記第１側面と対向する位置に配置された、少なくとも１つ以上の光源と、を備える。
【図面の簡単な説明】
【０００７】
【図１】図１は、第１実施形態に係る表示装置の概略構成を示す斜視図である。
【図２】図２は、第１実施形態に係る表示装置の一構成例を示すブロック図である。
【図３】図３は、第１実施形態に係る照明装置の平面図である。
【図４】図４は、第１実施形態に係る照明装置を構成する導光板の斜視図である。
【図５】図５は、図３のＡ−Ａ線に沿って切断したときの導光板の断面図である。
【図６】図６は、図３のＢ−Ｂ線に沿って切断したときの表示装置の断面矢視図である。
【図７】図７は、第１実施形態の第１変形例に係る導光板の斜視図である。
【図８】図８は、第２実施形態に係る照明装置の平面図である。
【図９】図９は、第２実施形態に係る照明装置を構成する導光板の斜視図である。
【図１０】図１０は、第２実施形態の第１変形例に係る照明装置の平面図である。
【図１１】図１１は、第２実施形態の第２変形例に係る導光板の斜視図である。
【図１２】図１２は、第２実施形態の第３変形例に係る導光板の斜視図である。
【図１３】図１３は、第２実施形態の第３変形例に係る導光板の側面視図である。
【発明を実施するための形態】
【０００８】
発明を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、本開示はあくまで一例にすぎず、当業者において、本開示の主旨を保っての適宜変更について容易に想到し得るものについては、当然に本開示の範囲に含有されるものである。また、図面は説明をより明確にするため、実際の態様に比べ、各部の幅、厚さ、形状等について模式的に表される場合があるが、あくまで一例であって、本開示の解釈を限定するものではない。また、本明細書と各図において、既出の図に関して前述したものと同様の要素には、同一の符号を付して、詳細な説明を適宜省略することがある。
【０００９】
（第１実施形態）
図１は、第１実施形態に係る表示装置の概略構成を示す斜視図である。図２は、第１実施形態に係る表示装置の一構成例を示すブロック図である。以下、ＸＹＺ座標系を用いて、各構成要素の形状や配置を説明する。以下においては、水平面内の一方向をＸ方向として説明する。また、水平面内においてＸ方向と交差する方向をＹ方向として説明する。また、Ｘ方向及びＹ方向のそれぞれと直交する方向をＺ方向として説明する。また、本明細書において、「平面視」とは、Ｚ方向から見た場合を示す。
【００１０】
図１に示すように、表示装置１は、表示パネル２と、バックライト３とを有する。表示パネル２は、第１基材１０と、第２基材１１と、第１偏光板１２と、第２偏光板１３と、を有する。表示パネル２の各構成要素は、第１偏光板１２、第１基材１０、第２基材１１、及び第２偏光板１３の順にＺ方向に並んで配置される。第２基材１１は、第１基材１０と対向する。第１基材１０と第２基材１１とが対向する対向領域の周縁部には、枠状のシール材１９が設けられている。第１基材１０と第２基材１１とシール材１９とによって囲まれた空間には、表示機能層である液晶層２５（図２参照）が封入される。シール材１９の内側には、バックライト３からの光を透過させて画像を表示する表示領域Ａｄが設けられる。表示領域Ａｄの外側は、光の透過が抑制される周辺領域Ｇｄである。
【００１１】
図１に示すように、バックライト３は、プリズムシート１４と、拡散板１５と、導光板３０と、照射部５１と、下部反射層６２と、を備える。バックライト３の各構成要素は、Ｚ方向に向かって下部反射層６２、導光板３０、拡散板１５、及びプリズムシート１４の順番に並んで配置される。
【００１２】
図２に示すように、照射部５１は、光源５２、５３、５４、５５を含む。光源５２、５３、５４、５５は、導光板３０の第１側面３２に対向して配置される。光源５２、５３、５４、５５は、例えば、発光ダイオード（ＬＥＤ：Light  Emitting  Diode）である。照射部５１からの光Ｌ１は、第１側面３２から導光板３０の内部に入射し、表示パネル２に向けて照射される。
【００１３】
図２に示すように、表示装置１は、さらに画像信号制御部９０と、階調制御部９２と、ゲート線駆動部９４と、データ線駆動部９６と、光源駆動部９８と、を有する。表示パネル２及びバックライト３の駆動は、画像信号制御部９０、階調制御部９２、ゲート線駆動部９４、データ線駆動部９６、及び光源駆動部９８によって制御される。
【００１４】
表示領域Ａｄには、複数のゲート線２１と複数のデータ線２２とが格子状に設けられる。複数のゲート線２１は、それぞれＸ方向（図１参照）に延びており、Ｙ方向（図１参照）に配列される。複数のデータ線２２は、それぞれＹ方向に延びており、Ｘ方向に配列される。ゲート線２１とデータ線２２との各交差部には薄膜トランジスタ２３が設けられる。薄膜トランジスタ２３のゲートとソースは、ゲート線２１とデータ線２２にそれぞれ電気的に接続される。薄膜トランジスタ２３のドレインは、画素電極２４と電気的に接続される。
【００１５】
表示領域Ａｄには、各画素電極２４に共通の共通電極２６が設けられる。共通電極２６には、図示略の電源部によってコモン電位Ｖｃｏｍが供給される。液晶層２５の液晶分子の配向は、画素電極２４と共通電極２６との間に発生する電界によって制御される。これにより、液晶層２５を透過する光が副画素ＰＸごとに変調する。ここで、１つの画素電極２４と共通電極２６とによって液晶層２５の配向が制御される領域が一つの副画素ＰＸである。Ｘ方向及びＹ方向にマトリクス状に配置された複数の副画素ＰＸによって表示領域Ａｄが形成される。
【００１６】
画像信号制御部９０は、外部から入力された画像信号ＶＳに基づいて画像制御信号ＶＣＳと、バックライト制御信号ＬＣＳとを生成する。画像信号ＶＳは、各副画素ＰＸの階調値に関する階調情報を含む。画像制御信号ＶＣＳは、表示パネル２の各副画素ＰＸにどのような階調値を与えるかを定める信号である。画像制御信号ＶＣＳは、各副画素ＰＸの階調値に関する階調情報を含む。
【００１７】
階調制御部９２は画像制御信号ＶＣＳに基づいて水平駆動信号ＨＤＳと垂直駆動信号ＶＤＳとを生成する。ゲート線駆動部９４は、水平駆動信号ＨＤＳに基づいて、表示パネル２の複数のゲート線２１を順次選択する。データ線駆動部９６は、垂直駆動信号ＶＤＳに基づいて、表示パネル２の複数のデータ線２２に各副画素ＰＸに応じた階調信号を供給する。これにより、表示パネル２は、１フレーム分の画像を表示する。
【００１８】
バックライト制御信号ＬＣＳは、各光源から照射される光の光量の情報を含む信号である。また、バックライト制御信号ＬＣＳは、各光源が光を照射するタイミングの情報を含む信号である。光源駆動部９８は、バックライト制御信号ＬＣＳに基づいて、バックライト３の動作を制御する。光源５２、５３、５４、５５は、バックライト制御信号ＬＣＳに基づいて、指定された光量で光Ｌ１を照射する。
【００１９】
次に、バックライト３の詳細な構成について説明する。図３は、第１実施形態に係る照明装置の平面図である。図４は、第１実施形態に係る照明装置を構成する導光板の斜視図である。図５は、図３のＡ−Ａ線に沿って切断したときの導光板の断面図である。図６は、図３のＢ−Ｂ線に沿って切断したときの表示装置の断面矢視図である。
【００２０】
図３及び図４に示すように、導光板３０は、第１側面３２と、第２側面３４と、発光面３６と、下面３８と、内側面４０と、外側面４２と、を有する１つの透光性部材３１で構成されている。透光性部材３１は、例えば、ポリカーボネート又はアクリルの板である。
【００２１】
発光面３６は、透光性部材３１のＺ方向側の面である。下面３８は、発光面３６と反対側の透光性部材３１の面である。第１側面３２は、透光性部材３１の一方の端面である。図３に示す平面Ｐは、第１側面３２が含まれる平面を示す。第２側面３４は、透光性部材３１の他方の端面である。内側面４０は、領域３９と面している透光性部材３１の側面である。外側面４２は、第１側面３２、第２側面３４、及び内側面４０以外の透光性部材３１の側面である。
【００２２】
図４に示すように、透光性部材３１は、発光面３６から下面３８にみて内側面４０の内側で囲まれた領域３９ができるように、第１側面３２から第２側面３４に向けて環状に旋回している。言い換えると、導光板３０は、第１側面３２から第２側面３４に向けて回転軸Ａｘの周りを環状に旋回した板形状である。図３に示すように、回転軸Ａｘは、Ｚ方向と平行な回転軸である。回転軸Ａｘは、内側面４０の内側にある領域３９内にある。
【００２３】
図３及び図６に示すように、領域３９は、Ｚ方向に突き抜けた空隙である。領域３９は、Ｚ方向で導光板３０が設けられていない領域とも言える。図３に示すように、領域３９は、平面視で円形の開口である。図６に示す直径ｒ１は、領域３９の直径を示す。図３に示すように、平面Ｐと外側面４２とは、所定の角度αで交わる。所定の角度αとは、９０度未満の角度である。以下の説明において、導光板３０の内周とは、平面視において、内側面４０が形成する周を指す。また、導光板３０の外周とは、平面視において、外側面４２が形成する周を指す。
【００２４】
なお、領域３９は、平面視で楕円であっても矩形であってもよい。領域３９には、透光性部材３１と同程度の透光性を有する光学樹脂を空隙に充填してもよい。図３に示すように、導光板３０の外周は、平面視で矩形の形状である。
【００２５】
図５に示すように、１つの透光性部材３１は、領域３９の周りを環状に旋回するので、第２側面３４側の透光性部材３１の重畳部分４４が、Ｚ方向において第１側面３２側の透光性部材３１の一部に重畳している。
【００２６】
図５に示すように、第２側面３４には、光吸収層３５が設けられる。光吸収層３５は、第２側面３４から導光板３０の外部へ出射する光を遮光する。光吸収層３５は、例えば、着色された樹脂フィルムである。樹脂フィルムとは、例えば、透光性部材３１と光学特性が同様の材料のフィルム、より具体的には、ポリカーボネート又はアクリルのフィルムである。なお、光吸収層３５を導光板３０と別のフィルムで設ける必要がない場合は、第２側面３４に設けた着色層を光吸収層３５としてもよい。当該着色層の材料は、例えば黒色インクである。
【００２７】
また、第２側面３４には、出射した光が迷光になることを防ぐために、光吸収層３５の代わりとして、光を反射する反射層を設けてもよい。当該反射層は、フィルム状の基材の少なくとも一方の面に、光を反射する反射膜が形成された機能性フィルムである。反射膜としては、銀等の金属薄膜や多層膜などでもよい。
【００２８】
下面３８には、光を散乱する散乱部４６が複数形成されている。散乱部４６は、導光板３０の下面３８にレーザーで形成される凹部である。なお、散乱部４６は、これに限定されない。散乱部４６は、入射する光を散乱できるものであればよく、例えば、印刷形成されたドット等でもよい。また、散乱部４６は、下面３８に形成された溝でもよい。
【００２９】
図５に示す厚さｔ１は、透光性部材３１の厚さである。透光性部材３１は、厚さｔ１が全面に渡って略均一である。したがって、発光面３６と、下面３８とは、実質的に平行に設けられている。
【００３０】
図３に示すように、平面Ｐは、内側面４０と第２側面３４との境界から距離ｄ５だけ離れている。つまり、透光性部材３１は、第１側面３２の端部が距離ｄ５だけオフセットしている。これによれば、図５に示すように、第１側面３２近傍において、発光面３６のＺ方向に下部反射層６２を配置することができる。これによれば、光源５２、５３、５４、５５から直接拡散板１５に入射する光を抑制することができる。したがって、光源５２、５３、５４、５５近傍の発光面３６の光量が大きくなることを抑制できる。その結果、バックライト３は、より均一な光量で発光面３６を発光させることができる。なお、距離ｄ５は、光源５２、５３、５４、５５の配置位置、配向角度等に応じて所定の値に決定される。
【００３１】
図３に示すように、照射部５１の光源５２、５３、５４、５５は、第１側面３２と対向して配置される。光源５２、５３、５４、５５は、第１側面３２に向けて光Ｌ１を照射する。図３及び図５に示すように、光源５２、５３、５４、５５は、下面３８と重畳している。すなわち、Ｚ方向からバックライト３を見た場合に、透光性部材３１は、光源５２、５３、５４、５５を全て覆う。
【００３２】
光源５２、５３、５４、５５は、第１側面３２に沿って間隔を有して配置される。具体的には、光源５２は、内側面４０と第１側面３２の境界から距離ｄ１だけ離れて配置される。これによれば、光源５２を内側面４０から離れた位置に配置できる。したがって、光源５２から照射される光Ｌ１が内側面４０から領域３９へ照射されることを抑制できる。その結果、光Ｌ１の漏れ光を抑制して光の利用効率を向上することができる。
【００３３】
また、光源５２と光源５３とは、距離ｄ２だけ離れて配置される。また、光源５３と光源５４とは、距離ｄ３だけ離れて配置される。また、光源５４と光源５５とは、距離ｄ４だけ離れて配置される。距離ｄ２、ｄ３、ｄ４は、距離ｄ４＜距離ｄ３＜距離ｄ２の関係である。したがって、光源５２、５３、５４、５５は、第１側面３２と内側面４０との境界から離れるにしたがって、間隔が小さくなるように配置されている。これによれば、内側面４０よりも光Ｌ１の光量が小さい導光板３０の外側面４２に近い領域の光量を補うことができる。また、照射部５１が備える光源の数は、適宜変更することができる。照射部５１は、少なくとも１つ以上光源を備えていればよく、例えば、５つ以上であってもよい。
【００３４】
図２、図３、図５及び図６に示すように、光源５２、５３、５４、５５は、ＦＰＣ（Flexible  Printed  Circuits）８２に設けられる。ＦＰＣ８２は、フレキシブルプリント回路基板である。ＦＰＣ８２は、例えば、可撓性を有するポリイミドフィルムに導体箔を張り合わせた基板である。図２に示すように、ＦＰＣ８２は、光源駆動部９８と、照射部５１の光源５２、５３、５４、５５とを接続する。
【００３５】
図１及び図５に示すように、下部反射層６２は、透光性部材３１の下面３８に設けられる。下部反射層６２は、入射する光を反射する機能を備える。これにより、光Ｌ１が下面３８から外部に漏れることを抑制でき、光の利用効率を向上させることができる。下部反射層６２は、フィルム状の基材の少なくとも一方の面に、光を反射する反射膜が形成された機能性フィルムである。反射膜としては、銀等の金属薄膜や多層膜などでもよい。下部反射層６２は、遮光性を有していてもよい。この場合、下部反射層６２のフィルム状の基材としては、例えば、着色された樹脂フィルムを用いることができる。
【００３６】
外側面反射層６４は、透光性部材３１の外側面４２に設けられる。外側面反射層６４は、外側面４２に設けられていること以外は、下部反射層６２と同様である。これにより、光Ｌ１が外側面４２から外部に漏れることを抑制でき、光の利用効率を向上させることができる。
【００３７】
図１及び図６に示すように、透光性部材３１の発光面３６に対向して、拡散板１５と、プリズムシート１４が設けられる。プリズムシート１４は、入射する光の出射方向を制御する光学シートである。プリズムシート１４は、例えば、表面にプリズムが形成されたアクリル系の樹脂フィルムである。
【００３８】
拡散板１５は、入射する光を拡散させる光学フィルムである。拡散板１５は、複数の球状のビーズがバインダー剤によって表面に固定されたアクリル樹脂フィルムである。図３及び図６に示すように、拡散板１５は、強拡散領域１６を備える。なお、図３に一点鎖線で示した強拡散領域１６は、透光性部材３１上における強拡散領域１６の位置を示している。強拡散領域１６には、拡散板１５の強拡散領域１６以外の領域よりも高い密度で球状のビーズが配置されている。これにより、強拡散領域１６は、拡散板１５の他の領域よりもより光を拡散できる。
【００３９】
強拡散領域１６は、平面視で直径ｒ２の円の形状である。図６に示すように、強拡散領域１６の直径ｒ２は、領域３９の直径ｒ１よりも大きい。強拡散領域１６は、Ｚ方向において、領域３９を覆う位置に配置されている。なお、拡散板１５は、光を拡散させる機能を有していれば良く、例えば、表面にランダムな凹凸が形成されたアクリル樹脂フィルムでもよい。この場合、強拡散領域１６には、拡散板１５の強拡散領域１６以外の領域よりも高い密度で凹凸が配置される。また、強拡散領域１６を拡散板１５の他の領域よりも厚くすることで強拡散領域１６でより光が拡散される構成としてもよい。
【００４０】
このような構成により、照射部５１から照射された光Ｌ１は、第１側面３２から透光性部材３１に入射する。光Ｌ１の一部は、散乱部４６に入射して散乱される。そして、該散乱された光の一部は、光Ｌ２として発光面３６から照射される。また、図３及び図５に示すように、光Ｌ１の一部は、下部反射層６２又は外側面反射層６４で反射して第２側面３４に向かって進行する。そして、下部反射層６２又は外側面反射層６４で反射した光の一部は、散乱部４６で散乱される。そして、該散乱された光の一部は、光Ｌ２として発光面３６から照射される。図６に示すように、光Ｌ２は、拡散板１５とプリズムシート１４を通って、表示パネル２に入射する。
【００４１】
第１実施形態に係るバックライト３では、透光性部材３１の重畳部分４４を有し、照射部５１は、Ｚ方向から見て、透光性部材３１に覆われるように配置されている。これによれば、照射部５１の配置に起因する周辺領域Ｇｄの増大を抑制することができる。このため、図６に示すように、表示パネル２において、バックライト３と重なるほぼ全ての領域を表示領域Ａｄとして用いることができ、周辺領域Ｇｄを小さくすることができる。
【００４２】
また、図３に示すように、第１実施形態に係るバックライト３は、角度αが９０度未満である。したがって、光Ｌ１は、角度αの入射角で外側面４２に入射することができる。つまり、光Ｌ１は、９０度の入射角で外側面４２に入射しない。これによれば、外側面４２で反射した光Ｌ１は、第２側面３４に近づくように進むことができる。その結果、バックライト３は、第２側面３４近傍の発光面３６の光量が低下することを抑制できる。
【００４３】
また、図５に示すように、第１実施形態に係るバックライト３は、第２側面３４に光吸収層３５が設けられている。これによれば、第２側面３４から導光板３０の外部に出射する光を吸収することができる。したがって、第２側面３４近傍の発光面３６が局所的に発光することを抑制できる。その結果、バックライト３は、より均一な光量で発光面３６を発光させることができる。
【００４４】
導光板３０は、例えば、インサート成型により製造される。導光板３０が備える領域３９は、導光板３０を成型する際にできる開口である。図４に示すように、Ｚ方向からバックライト３を見た場合、領域３９が形成される領域には、発光面３６が無い。したがって、領域３９のＺ方向では、発光面３６から出射する光Ｌ２の光量が低下する。
【００４５】
実施形態１に係るバックライト３は、Ｚ方向において、強拡散領域１６が領域３９を覆う。これによれば、表示パネル２側からバックライト３を見た場合に、領域３９の位置で明るさが低下することを抑制できる。なお、強拡散領域１６の形状は円形に限定され
ない。強拡散領域１６は、Ｚ方向において、領域３９を覆うことが可能な形状であればよい。
【００４６】
なお、導光板３０は、平面視で矩形であるが、これに限定されない。導光板３０は、他の形状であってもよい。導光板３０は、例えば、平面視で楕円形状、長円形状、多角形状等であってもよい。
【００４７】
（第１実施形態の第１変形例）
図７は、第１実施形態の第１変形例に係る導光板の斜視図である。図７を参照して本変形例に係るバックライトについて説明する。なお、実施形態１に係るバックライト３と共通する構成要素については、同じ符号を付し、詳細な説明は省略する。
【００４８】
本変形例に係るバックライトは、導光板３０に代えて導光板３０ａを備えること以外は、バックライト３と同様である。図７に示すように、導光板３０ａは、回転軸Ａｘの周方向に沿って透光性部材３１の厚みが薄くなること以外は、導光板３０と同様である。すなわち、導光板３０ａは、第１側面３２から第２側面３４に近づくにつれて透光性部材３１の厚さが薄くなる。これにより、照射部５１と重畳する透光性部材３１が薄くなるので、導光板３０ａ全体の厚さが厚くなるのを防ぐことができる。その結果、バックライト３全体の厚さが増大することを防ぐことができる。
【００４９】
さらに、導光板３０ａの内部に入射する光Ｌ１は、第１側面３２から第２側面３４に近づくにしたがって、散乱部４６に入射し易くなる。その結果、光Ｌ１は、第１側面３２から第２側面３４に近づくにしたがって、発光面３６から照射され易くなる。ここで、光Ｌ１は、第２側面３４に近づくにしたがって、徐々に光の強度が小さくなる。したがって、本変形例に係る導光板３０ａは、発光面３６から出射する光Ｌ２の光量をより均一にすることができる。
【００５０】
（第２実施形態）
図８は、第２実施形態に係る照明装置の平面図である。図９は、第２実施形態に係る照明装置を構成する導光板の斜視図である。図８及び図９を参照して第２実施形態に係るバックライト３ｂについて説明する。なお、実施形態１に係るバックライト３と共通する構成要素については、同じ符号を付し、詳細な説明は省略する。
【００５１】
バックライト３ｂは、導光板３０に代えて導光板３０ｂを備えること以外は、表示装置１と同様である。導光板３０ｂは、外側面４２ｂの形状が異なること以外は、導光板３０と同様である。
【００５２】
図８及び図９に示すように、透光性部材３１の外側面４２ｂの外周は、平面視で円形である。これにより、図８に示すように、導光板３０ｂの外周は、平面視で円形である。外側面反射層６４は、外側面４２ｂに沿って配置されているため、平面視で円形となる。これによれば、光Ｌ１が導光板３０ｂの第２側面３４近傍の領域まで到達できるように導光される。
【００５３】
より詳細には、図８に示すように、まず、光Ｌ１の一部は、外側面反射層６４で反射する。外側面反射層６４で反射した光Ｌ１は、外側面反射層６４に沿うように進行して、さらに外側面反射層６４で反射をする、これにより、光Ｌ１は、第２側面３４まで容易に到達することができる。つまり、バックライト３ｂは、第１側面３２から離れた第２側面３４近傍の発光面３６において光量が低下することを抑制できる。その結果、バックライト３ｂは、より均一な光量で発光面３６を発光することができる。
【００５４】
（第２実施形態の第１変形例）
図１０は、第２実施形態の第１変形例に係る照明装置の平面図である。図１０を参照して本変形例に係るバックライト３ｃについて説明する。なお、バックライト３ｂと共通する構成要素については、同じ符号を付し、詳細な説明は省略する。
【００５５】
本変形例に係るバックライト３ｃは、導光板３０ｂに代えて導光板３０ｃを備えること以外は、バックライト３ｂと同様である。導光板３０ｃは、第１側面３２ｃの形状が異なること以外は、導光板３０ｂと同様である。第１側面３２ｃは、凹みのある弧の形状である。そして、光源５２、５３、５４、５５は、第１側面３２ｃと対向して配置されている。これにより、図１０に示すように、光Ｌ１の照射方向は、平面視で放射状となる。したがって、光Ｌ１の強度が導光板３０ｃの内部で局所的に強くなることを抑制できる。その結果、本変形例に係るバックライト３ｃは、発光面３６から出射する光Ｌ２の光量をより均一にすることができる。
【００５６】
（第２実施形態の第２変形例）
図１１は、第２実施形態の第２変形例に係る導光板の斜視図である。図１１を参照して本変形例に係るバックライトを構成する導光板３０ｄについて説明する。なお、第２実施形態に係るバックライト３ｂと共通する構成要素については、同じ符号を付し、詳細な説明は省略する。
【００５７】
本変形例に係るバックライトは、導光板３０ｂに代えて導光板３０ｄを備えること以外は、バックライト３ｂと同様である。図１１に示すように、導光板３０ｄは、回転軸Ａｘの周方向に沿って厚みが薄くなる。すなわち、導光板３０ｄにおいて、透光性部材３１は、第１側面３２から第２側面３４に近づくにつれて厚さが薄くなる。これにより、照射部５１と重畳する透光性部材３１が薄くなるので、導光板３０ｄ全体の厚さが厚くなるのを防ぐことができる。その結果、バックライト３全体の厚さが増大することを防ぐことができる。
【００５８】
さらに、導光板３０ｄにおいて、の内部に入射する光Ｌ１は、第１側面３２から第２側面３４に近づくにしたがって、散乱部４６に入射し易くなる。その結果、光Ｌ１は、第１側面３２から第２側面３４に近づくにしたがって、発光面３６から照射され易くなる。ここで、光Ｌ１は、第２側面３４に近づくにしたがって、徐々に光の強度が小さくなる。したがって、本変形例に係る導光板３０ｄは、発光面３６から出射する光Ｌ２の光量をより均一にすることができる。
【００５９】
（第２実施形態の第３変形例）
図１２は、第２実施形態の第３変形例に係る導光板の斜視図である。図１３は、第２実施形態の第３変形例に係る導光板の側面視図である。図１２及び図１３を参照して本変形例に係るバックライトを構成する導光板３０ｅについて説明する。なお、実施形態２に係るバックライト３ｂと共通する構成要素については、同じ符号を付し、詳細な説明は省略する。
【００６０】
本変形例に係るバックライトは、透光性部材３１の形状が異なること以外は、バックライト３ｂと同様である。導光板３０ｅは、発光面３６ｅ及び下面３８ｅが曲面であること以外は、導光板３０ｂと同様である。
【００６１】
図１２及び図１３に示すように、発光面３６ｅがＺ方向に凸となるように湾曲している。発光面３６ｅと下面３８ｅとの間の透光性部材３１の厚みは同じであるので、下面３８ｅは、Ｚ方向に凹む曲面である。第１側面３２ｅには、発光面３６ｅの上辺７０ｅ、及び下面３８ｅの下辺７２ｅの湾曲が現れる。第２側面３４ｅには、発光面３６側の上辺７４ｅ、及び下面３８側の下辺７６ｅの湾曲が現れる。したがって、導光板３０ｅは、ドーム型又は蜂窩状となり、発光面３６がＺ方向に凸の曲面となる。これにより、本変形例に係るバックライトは、表示パネル２が曲面である場合にも、均一に光を照射することができる。
【００６２】
以上、本開示の好適な実施の形態を説明したが、本開示はこのような実施の形態に限定されるものではない。実施の形態で開示された内容はあくまで一例にすぎず、本開示の趣旨を逸脱しない範囲で種々の変更が可能である。本開示の趣旨を逸脱しない範囲で行われた適宜の変更についても、当然に本開示の技術的範囲に属する。例えば、拡散板１５が光を十分に拡散できるのであれば、図６に示す強拡散領域１６は省略され、拡散板１５は面内で光の拡散割合が均一なものであってもよい。
【００６３】
例えば、本開示の表示装置は、以下の態様をとることができる。
【００６４】
（１）
第１側面と、第２側面と、下面と、内側面と、前記下面と反対側の発光面と、を少なくとも有する１つの透光性部材で構成され、前記発光面から下面側にみて前記内側面の内側で囲まれた領域ができるように、前記第１側面から前記第２側面に向けて前記透光性部材が環状に旋回し、前記第２側面側の前記透光性部材が前記第１側面側の前記透光性部材の一部に重畳する導光板と、
前記透光性部材に覆われ、かつ前記第１側面と対向する位置に配置された、少なくとも１つ以上の光源と、
を備える照明装置。
（２）
前記導光板は、前記第１側面から前記第２側面に近づくにしたがって、板厚が薄くなる（１）に記載の照明装置。
（３）
前記第２側面には、前記第２側面から前記導光板の外部へ出射する光を吸収する光吸収層、又は、光を反射する反射層が設けられている（１）又は（２）に記載の照明装置。
（４）
前記導光板の外側面及び前記下面には、光を反射する反射層が設けられている（１）から（３）のいずれか１つに記載の照明装置。
（５）
前記導光板は、外周が円形である（１）から（４）のいずれか１つに記載の照明装置。
（６）
前記導光板は、外周が矩形の形状であり、
前記第１側面が含まれる平面は、前記外周と９０度未満の角度で交わる（１）から（４）のいずれか１つに記載の照明装置。
（７）
前記第１側面が含まれる平面は、前記第２側面と前記内側面との境界から離れている（１）から（６）のいずれか１つに記載の照明装置。
（８）
前記第１側面は、凹みのある弧の形状である（１）から（５）のいずれか１つに記載の照明装置。
（９）
前記光源は、前記導光板の前記内側面と前記第１側面との境界から離れて配置される（１）から（８）のいずれか１つに記載の照明装置。
（１０）
前記光源は、前記第１側面と対向して複数配置され、
複数の前記光源は、前記第１側面と前記内側面との境界から離れるにしたがって間隔が小さくなるように並んで配置されている（１）から（９）のいずれか１つに記載の照明装置。
（１１）
他の領域よりも光を拡散可能な強拡散領域を有する拡散板を備え、
前記拡散板は、前記強拡散領域が前記領域を覆うように配置されている（１）から（１０）のいずれか１つに記載の照明装置。
（１２）
（１）から（１１）のいずれか１つに記載の照明装置を備える表示装置。
【符号の説明】
【００６５】
１  表示装置
２  表示パネル
３、３ｂ  バックライト
１０  第１基材
１１  第２基材
１４  プリズムシート
１５  拡散板
１６  強拡散領域
２５  液晶層
３０、３０ａ、３０ｂ、３０ｃ、３０ｄ、３０ｅ  導光板
３１  透光性部材
３２、３２ｃ、３２ｅ  第１側面
３４、３４ｅ  第２側面
３５  光吸収層
３６  発光面
３８  下面
４０  内側面
４２、４２ｂ  外側面
４４  縁部
５１  照射部
５２、５３、５４、５５  光源
６２  下部反射層
６４  外側面反射層
Ａｄ  表示領域
Ｇｄ  周辺領域
Ａｘ  回転軸
【図１】
2019096562.tif 000003
【図２】
2019096562.tif 000004
【図３】
2019096562.tif 000005
【図４】
2019096562.tif 000006
【図５】
2019096562.tif 000007
【図６】
2019096562.tif 000008
【図７】
2019096562.tif 000009
【図８】
2019096562.tif 000010
【図９】
2019096562.tif 000011
【図１０】
2019096562.tif 000012
【図１１】
2019096562.tif 000013
【図１２】
2019096562.tif 000014
【図１３】
2019096562.tif 000015